(57)【要約】【課題】有機ＥＬ表示装置において、画面の輝度変化抑制を考慮してインパルス型表示駆動をする場合、発光期間の変化に応じて発光輝度を変化させることになる。しかしながら、有機ＥＬ素子においては、発光輝度を上げると発光輝度劣化が極度に大きくなる。【解決手段】入力される映像信号が動画像であるか静止画像であるかを検出する入力信号動き検出部１０２と、ソースドライバ１０４と書き込みゲートドライバ１０５および点灯ゲートドライバ１０６を制御する駆動制御部１０３を有する有機ＥＬ表示装置を駆動する方法であって、入力される映像信号が動画像である場合、信号ゲイン変換部１０１のゲインを大きくし、有機ＥＬ表示装置の所定期間内の発光期間が短くなるように点灯ゲートドライバ１０６からの点灯走査信号駆動期間を制御する。【選択図】図１
2005227543.tif 000002
【特許請求の範囲】
【請求項１】
入力される映像信号が動画像であるか静止画像であるかを検出する入力信号動き検出部と、前記映像信号のゲインを変化させる信号ゲイン変換部と、画素データが供給される複数のソース線と、画素への書き込み走査信号が供給される複数の書き込みゲート線と、画素の点灯走査信号が供給される複数の点灯ゲート線と、前記ソース線と前記書き込みゲート線および前記点灯ゲート線の交差する部分に対応して有機ＥＬ画素セルがマトリクス状に配置された有機ＥＬ表示部と、前記ソース線を駆動するソースドライバと、前記書き込みゲート線を駆動する書き込みゲートドライバと、前記点灯ゲート線を駆動する点灯ゲートドライバと、前記ソースドライバと前記書き込みゲートドライバおよび前記点灯ゲートドライバを制御する駆動制御部とを有する有機ＥＬ表示装置であって、入力される映像信号が動画像である場合、前記信号ゲイン変換部のゲインを大きくし、前記有機ＥＬ表示装置の所定期間内の発光期間が短くなるように前記点灯ゲートドライバからの点灯走査信号駆動期間を制御することを特徴とする有機ＥＬ表示装置。
【請求項２】
入力される映像信号が動画像であるか静止画像であるかを検出する入力信号動き検出部と、画素データが供給される複数のソース線と、画素への書き込み走査信号が供給される複数の書き込みゲート線と、画素の点灯走査信号が供給される複数の点灯ゲート線と、前記ソース線と前記書き込みゲート線および前記点灯ゲート線の交差する部分に対応して有機ＥＬ画素セルがマトリクス状に配置された有機ＥＬ表示部と、前記ソース線を駆動するソースドライバと、前記書き込みゲート線を駆動する書き込みゲートドライバと、前記点灯ゲート線を駆動する点灯ゲートドライバと、前記ソースドライバと前記書き込みゲートドライバおよび前記点灯ゲートドライバを制御する駆動制御部とを有する有機ＥＬ表示装置であって、入力される映像信号が動画像である場合、前記ソースドライバの出力信号ゲインを大きくし、前記有機ＥＬ表示装置の所定期間内の発光期間が短くなるように前記点灯ゲートドライバからの点灯走査信号駆動期間を制御することを特徴とする有機ＥＬ表示装置。
【請求項３】
前記ソースドライバは、Ｄ／Ａコンバータを内蔵し、制御信号によりソース線への出力信号のレベルを変化させることを特徴とする請求項２記載の有機ＥＬ表示装置。
【請求項４】
入力される映像信号が動画像である場合、動きの大きさに応じて、前記ソース線に出力される信号のゲインと、前記有機ＥＬ表示装置の所定期間内の発光期間を制御することを特徴とする請求項１乃至請求項３のいずれかに記載の有機ＥＬ表示装置。
【請求項５】
信号ゲインおよび発光期間を変化させる場合、表示画面の平均輝度が変化しないように制御することを特徴とする請求項１乃至請求項４のいずれかに記載の有機ＥＬ表示装置。
【請求項６】
前記書き込みゲート線によるライン単位の画素へのデータ書き込みと同期して、書き込み後所定期間に渡り、順次ラインを点灯するように前記点灯ゲート線の駆動を制御することを特徴とする請求項１乃至請求項５のいずれかに記載の有機ＥＬ表示装置。
【請求項７】
入力される映像信号のフレーム周波数を変化させる周波数変換部を設け、前記書き込みゲート線による全ラインの画素へのデータ書き込み終了と同期して、書き込み後所定期間に渡り、全ラインを同時に点灯するように前記点灯ゲート線の駆動を制御することを特徴とする請求項１乃至請求項５のいずれかに記載の有機ＥＬ表示装置。
【請求項８】
入力される映像信号のピーク値を検出する入力信号ピーク検出部を設け、入力される映像信号が動画像である場合、映像信号のピーク値に応じて、前記ソース線への信号のゲインおよび前記有機ＥＬ表示部における所定期間内の発光期間を制御することを特徴とする請求項１乃至請求項７のいずれかに記載の有機ＥＬ表示装置。
【発明の詳細な説明】
【技術分野】
【０００１】
本発明は、表示品位向上を目的とした有機ＥＬ表示装置に関するものである。
【背景技術】
【０００２】
有機ＥＬ表示装置は他の表示装置と比較して薄型で高画質という特徴から、近年注目を浴びてきている。しかしながら、高画質と位置付けされている有機ＥＬ表示装置においても、従来の液晶表示装置に近い駆動方法が取り入れられており、液晶表示装置同様のホールド型表示であるため動画視認性という観点から見ると決して高画質とは言えない。
【０００３】
液晶表示装置においては、比較的高速に応答するＯＣＢ液晶を採用して動画視認性向上を図る例がある。以下、従来の液晶表示装置の駆動方法および液晶表示装置について説明する。
【０００４】
図１１は、従来の液晶表示装置の構成を示すブロック図である。図１１において液晶表示装置は、映像信号と同期信号が入力されるライン倍速変換部７０１、入力信号動き検出部７０２、駆動制御部７０３、ソースドライバ７０４、ゲートドライバ７０５、液晶表示部７０７、対向駆動部７０６、バックライト制御部７０８およびバックライト７０９を備える。また、液晶表示部７０７内には、ソースドライバ７０４からの信号が供給されるソース線とゲートドライバ７０５からの走査信号が供給されるゲート線の交点部分にマトリクス状に配置された画素を備える。画素は、液晶とスイッチング素子（ＴＦＴ）を備える。図１２は、従来の液晶表示装置の駆動タイミングを示す図である。図１２において、ゲート信号Ｖｇ（ｎ−１）、Ｖｇ（ｎ）、Ｖｇ（ｎ＋１）がそれぞれ、ゲート線Ｘｎ−１、Ｘｎ、Ｘｎ＋１に供給される。ゲート信号がＨｉ状態の時に、対応するゲート線がＯｎになり、ライン上の画素へ、ソース線信号が書き込まれる。１フレーム期間（１Ｖ）がＰ１とＰ２のふたつの期間に分けられており、Ｐ１期間では高いレベルの信号（黒信号レベル）が書き込まれ、Ｐ２期間では映像信号に応じた信号が書き込まれる。ＯＣＢ液晶においては、逆転移防止のためにＰ１期間の処理を考慮することが必要とされているが、本発明と直接関わることではないので、ここで詳細は言及しない。表示動作としては、黒が表示された後に映像表示が表示されることになる。入力信号動き検出部７０２において、映像信号が動画像であるか静止画像であるかを検出し、動画像である場合、Ｐ１期間を所定の長さより長くし、静止画像である場合、Ｐ１期間を所定の長さより短くする。これにより、表示方法をホールド型表示からインパルス型表示に近づけて動画視認性の向上を図る。
【特許文献１】特開２００２−３１７９０号公報
【発明の開示】
【発明が解決しようとする課題】
【０００５】
有機ＥＬ表示装置において、画面の輝度変化抑制を考慮してインパルス型表示駆動をする場合、発光期間の変化に応じて発光輝度を変化させることになる。図１３に、その場合の発光輝度と発光期間の動作状態を示す。
【０００６】
しかしながら、有機ＥＬ素子においては、発光輝度を上げると発光輝度劣化が極度に大きくなるという課題がある。図１４に、視覚上の輝度を概同値にした場合の、有機ＥＬ素子の輝度劣化状態を示す。横軸は発光輝度と発光期間（所定期間内）を示し、発光期間が短くなれば発光輝度が上がる関係を示している。発光期間が短く、発光輝度の大きい方が寿命の劣化が大きくなる。
【０００７】
それ故、本発明の目的は、動画視認性向上および寿命劣化抑制を可能とした有機ＥＬ表示装置の駆動方式および有機ＥＬ表示装置を提供するものである。
【課題を解決するための手段】
【０００８】
前記の目的を達成するため、本願の請求項１記載の発明は、入力される映像信号が動画像であるか静止画像であるかを検出する入力信号動き検出部と、前記映像信号のゲインを変化させる信号ゲイン変換部と、画素データが供給される複数のソース線と、画素への書き込み走査信号が供給される複数の書き込みゲート線と、画素の点灯走査信号が供給される複数の点灯ゲート線と、前記ソース線と前記書き込みゲート線および前記点灯ゲート線の交差する部分に対応して有機ＥＬ画素セルがマトリクス状に配置された有機ＥＬ表示部と、前記ソース線を駆動するソースドライバと、前記書き込みゲート線を駆動する書き込みゲートドライバと、前記点灯ゲート線を駆動する点灯ゲートドライバと、前記ソースドライバと前記書き込みゲートドライバおよび前記点灯ゲートドライバを制御する駆動制御部とを有する有機ＥＬ表示装置であって、入力される映像信号が動画像である場合、前記信号ゲイン変換部のゲインを大きくし、前記有機ＥＬ表示装置の所定期間内の発光期間が短くなるように前記点灯ゲートドライバからの点灯走査信号駆動期間を制御することを特徴とする。
【０００９】
また、請求項２記載の発明は、入力される映像信号が動画像であるか静止画像であるかを検出する入力信号動き検出部と、画素データが供給される複数のソース線と、画素への書き込み走査信号が供給される複数の書き込みゲート線と、画素の点灯走査信号が供給される複数の点灯ゲート線と、前記ソース線と前記書き込みゲート線および前記点灯ゲート線の交差する部分に対応して有機ＥＬ画素セルがマトリクス状に配置された有機ＥＬ表示部と、前記ソース線を駆動するソースドライバと、前記書き込みゲート線を駆動する書き込みゲートドライバと、前記点灯ゲート線を駆動する点灯ゲートドライバと、前記ソースドライバと前記書き込みゲートドライバおよび前記点灯ゲートドライバを制御する駆動制御部とを有する有機ＥＬ表示装置であって、入力される映像信号が動画像である場合、前記ソースドライバの出力信号ゲインを大きくし、前記有機ＥＬ表示装置の所定期間内の発光期間が短くなるように前記点灯ゲートドライバからの点灯走査信号駆動期間を制御することを特徴とする。
【００１０】
また、請求項３記載の発明は、前記ソースドライバは、Ｄ／Ａコンバータを内蔵し、制御信号によりソース線への出力信号のレベルを変化させることを特徴とする。
【００１１】
また、請求項４記載の発明は、入力される映像信号が動画像である場合、動きの大きさに応じて、前記ソース線に出力される信号のゲインと、前記有機ＥＬ表示装置の所定期間内の発光期間を制御することを特徴とする。
【００１２】
また、請求項５記載の発明は、信号ゲインおよび発光期間を変化させる場合、表示画面の平均輝度が変化しないように制御することを特徴とする。
【００１３】
また、請求項６記載の発明は、前記書き込みゲート線によるライン単位の画素へのデータ書き込みと同期して、書き込み後所定期間に渡り、順次ラインを点灯するように前記点灯ゲート線の駆動を制御することを特徴とする。
【００１４】
また、請求項７記載の発明は、入力される映像信号のフレーム周波数を変化させる周波数変換部を設け、前記書き込みゲート線による全ラインの画素へのデータ書き込み終了と同期して、書き込み後所定期間に渡り、全ラインを同時に点灯するように前記点灯ゲート線の駆動を制御することを特徴とする。
【００１５】
また、請求項８記載の発明は、入力される映像信号のピーク値を検出する入力信号ピーク検出部を設け、入力される映像信号が動画像である場合、映像信号のピーク値に応じて、前記ソース線への信号のゲインおよび前記有機ＥＬ表示部における所定期間内の発光期間を制御することを特徴とする。
【発明の効果】
【００１６】
本発明によれば、入力される映像信号を有機ＥＬ素子により構成された表示部に表示する際に、動画視認性向上および寿命劣化抑制を可能とする表示装置を実現できるという格別な効果を奏する。
【発明を実施するための最良の形態】
【００１７】
（実施の形態１）
図１は、本発明の実施の形態１における有機ＥＬ表示装置の構成を示すブロック図である。図１において、入力信号動き検出部１０２は、入力される映像信号が動画像であるか静止画像であるかを検出する。信号ゲイン変換部１０１は、入力信号動き検出部１０２の検出結果に応じて映像信号のゲインを変化させる。有機ＥＬ表示部１０７は、複数のソース線によりソースドライバ１０４と接続され、複数の書き込みゲート線により書き込みゲートドライバ１０５と接続され、複数の点灯ゲート線により点灯ゲートドライバ１０６と接続される。また、有機ＥＬ表示部１０７においては、ソース線と書き込みゲート線および点灯ゲート線の交差する部分に対応して有機ＥＬ画素セルがマトリクス状に配置されている。駆動制御部１０３は、ソースドライバ１０４と書き込みゲートドライバ１０５の駆動を制御するとともに、入力信号動き検出部１０２の検出結果に応じて点灯ゲートドライバ１０６の駆動タイミングを変化させる。ソースドライバ１０４は、信号ゲイン変換部１０１からの映像信号（Ｖｓ）に応じて、画素データをソース線に出力する。書き込みゲートドライバ１０３は、画素への書き込み走査信号を書き込みゲート線に出力する。点灯ゲートドライバ１０６は、点灯走査信号を点灯ゲート線に出力する。画素セルは、複数のスイッチング素子（ＴＦＴ）を備え、書き込み走査信号によりソース線の画素データを画素セルに保持し、点灯操作信号により画素データに応じた輝度で発光する。
【００１８】
以下、本発明の実施の形態１における駆動方法について、図２を参照して説明する。図２において、（ａ）は静止画像検出時の画素発光状態を示す。（ｂ）は動画像検出時の画素発光状態を示す。ともに、視覚上、同程度の輝度を想定している。（ａ）では、発光輝度が小さく、１フレーム期間内の発光期間が長い。（ｂ）では、発光輝度が大きく、発光期間が短い。
【００１９】
（ａａ）は、（ａ）の動作をする場合の信号の状態を示す。静止画像検出の場合、信号ゲイン変換部１０１におけるゲインは小さく設定され、出力される映像信号（Ｖｓ）のレベルは小さくなる。書き込みゲート線（ｎライン）においては、およそ１水平期間（１Ｈ）、Ｏｎ状態になり、映像信号（Ｖｓ）に応じた画素データが画素セルに書き込まれる。静止画像検出であるため、１フレーム期間内の発光期間が長くなるように点灯ゲート線（ｎライン）の信号が動作する。
【００２０】
（ｂｂ）は、（ｂ）の動作をする場合の信号の状態を示す。動画像検出の場合、信号ゲイン変換部１０１におけるゲインは大きく設定され、出力される映像信号（Ｖｓ）のレベルは大きくなる。動画像検出であるため、１フレーム期間内の発光期間が短くなるように点灯ゲート線（ｎライン）の信号が動作する。
【００２１】
以上のように、本実施形態によれば、入力される映像信号が動画像の場合、インパルス型駆動に近づけることにより、動画視認性向上が図れる。また、静止画像の場合、ホールド型駆動に近づけることにより、ＥＬ素子の寿命低減抑制が図れる。動画像検出判断は、所定の動き量により判断するが、動き量の大きさに応じて発光期間および発光輝度を変化させても良い。
【００２２】
（実施の形態２）
図３は、本発明の実施の形態２における有機ＥＬ表示装置の構成を示すブロック図である。図３において、入力信号動き検出部２０１は、入力される映像信号が動画像であるか静止画像であるかを検出する。有機ＥＬ表示部２０６は、複数のソース線によりソースドライバ２０３と接続され、複数の書き込みゲート線により書き込みゲートドライバ２０４と接続され、複数の点灯ゲート線により点灯ゲートドライバ２０５と接続される。また、有機ＥＬ表示部２０６においては、ソース線と書き込みゲート線および点灯ゲート線の交差する部分に対応して有機ＥＬ画素セルがマトリクス状に配置されている。駆動制御部２０２は、書き込みゲートドライバ２０４の駆動を制御するとともに、入力信号動き検出部２０１の検出結果に応じてソースドライバ２０３の出力ゲインと点灯ゲートドライバ２０５の駆動タイミングを制御する。ソースドライバ２０３は、駆動制御部２０２からの制御信号に応じて、ソース線に出力する画素データを変化させる。書き込みゲートドライバ２０４は、画素への書き込み走査信号を書き込みゲート線に出力する。点灯ゲートドライバ２０５は、点灯走査信号を点灯ゲート線に出力する。画素セルは、複数のスイッチング素子（ＴＦＴ）を備え、書き込み走査信号によりソース線の画素データを画素セルに保持し、点灯操作信号により画素データに応じた輝度で発光する。
【００２３】
以下、本発明の実施の形態２における駆動方法について、図４を参照して説明する。図４において、（ｃ）は静止画像検出時の画素発光状態を示す。（ｄ）は動画像検出時の画素発光状態を示す。ともに、視覚上、同程度の輝度を想定している。（ｃ）では、発光輝度が小さく、１フレーム期間内の発光期間が長い。（ｄ）では、発光輝度が大きく、発光期間が短い。
【００２４】
（ｃｃ）は、（ｃ）の動作をする場合の信号の状態を示す。静止画像検出の場合、ソースドライバ２０３におけるソースドライバ電流ゲインは小さく設定され、ソース線に出力される画素データのレベルは小さくなる。書き込みゲート線（ｎライン）においては、およそ１水平期間（１Ｈ）、Ｏｎ状態になり、映像信号（Ｖｓ）に応じた画素データが画素セルに書き込まれる。静止画像検出であるため、１フレーム期間内の発光期間が長くなるように点灯ゲート線（ｎライン）の信号が動作する。
【００２５】
（ｄｄ）は、（ｄ）の動作をする場合の信号の状態を示す。動画像検出の場合、ソースドライバ２０３におけるソースドライバ電流ゲインは大きく設定され、ソース線に出力される画素データのレベルは大きくなる。動画像検出であるため、１フレーム期間内の発光期間が短くなるように点灯ゲート線（ｎライン）の信号が動作する。
【００２６】
図５は、ソースドライバの内部構成の１例を示す。図５において、信号保持部はソース線に対応するように映像信号に応じた値を保持する。信号保持部２０７は、シフトレジスタ回路およびサンプルホールド回路等で構成される。Ｄ／Ａコンバータ２０８は、制御信号に応じた基準電圧を出力する。レベル変換部２０９は、基準電圧に応じて信号保持部２０７からの出力信号ゲインを変化させ、ソース線に出力する。出力する信号は、有機ＥＬ表示部内の画素セル構成により、電圧レベル信号または電流レベル信号のいずれでも可能である。
【００２７】
以上のように、本実施形態によれば、入力される映像信号が動画像の場合、インパルス型駆動に近づけることにより、動画視認性向上が図れる。また、静止画像の場合、ホールド型駆動に近づけることにより、ＥＬ素子の寿命低減抑制が図れる。映像信号のゲイン変化でなく、ソースドライバでのゲイン変化とするため、映像信号のｂｉｔ精度を確保することが可能になる。
【００２８】
（実施の形態３）
図６は、本発明の実施の形態３における有機ＥＬ表示装置の構成を示すブロック図である。図６において、周波数変換部３０１は、映像信号の周波数を変換する。入力信号動き検出部３０２は、入力される映像信号が動画像であるか静止画像であるかを検出する。有機ＥＬ表示部３０７は、複数のソース線によりソースドライバ３０４と接続され、複数の書き込みゲート線により書き込みゲートドライバ３０５と接続され、複数の点灯ゲート線により点灯ゲートドライバ３０６と接続される。また、有機ＥＬ表示部３０７においては、ソース線と書き込みゲート線および点灯ゲート線の交差する部分に対応して有機ＥＬ画素セルがマトリクス状に配置されている。駆動制御部３０３は、書き込みゲートドライバ３０５の駆動を制御するとともに、入力信号動き検出部３０２の検出結果に応じてソースドライバ３０４の出力ゲインと点灯ゲートドライバ３０６の駆動タイミングを制御する。ソースドライバ３０４は、駆動制御部３０３からの制御信号に応じて、ソース線に出力する画素データを変化させる。書き込みゲートドライバ３０５は、画素への書き込み走査信号を書き込みゲート線に出力する。点灯ゲートドライバ３０６は、点灯走査信号を点灯ゲート線に出力する。画素セルは、複数のスイッチング素子（ＴＦＴ）を備え、書き込み走査信号によりソース線の画素データを画素セルに保持し、点灯操作信号により画素データに応じた輝度で発光する。
【００２９】
以下、本発明の実施の形態３における駆動方法の１例について、図７を参照して説明する。図７において、映像信号は、周波数変換部３０１によって周波数変換（高速化）された映像信号は、元の１水平期間（１Ｈ）内に３水平期間分の映像信号とされる。書き込みゲート信号は、元の水平期間毎に対応する書き込み走査信号が出力される。高速化されているため、１フレーム期間（１Ｖ）の前半にて、全ラインの書き込み動作が終了する。その後、点灯ゲート線により、全ラインを同時に点灯する。発光期間および発光輝度については、実施の形態２同様に映像信号の動きに応じて制御される。
【００３０】
以上のように、本実施形態によれば、入力される映像信号が動画像の場合、インパルス型駆動に近づけることにより、動画視認性向上が図れる。また、図８に示すように書き込みゲート線によるライン単位の書き込み走査に同期して、順次点灯ゲート線の点灯走査をする駆動方式も可能である。
【００３１】
（実施の形態４）
図９は、本発明の実施の形態４における有機ＥＬ表示装置の構成を示すブロック図である。図９において、入力信号動き検出部４０１は、入力される映像信号が動画像であるか静止画像であるかを検出する。入力信号ピーク検出部４０２は、入力される映像信号のピーク値を検出する。有機ＥＬ表示部４０７は、複数のソース線によりソースドライバ４０４と接続され、複数の書き込みゲート線により書き込みゲートドライバ４０５と接続され、複数の点灯ゲート線により点灯ゲートドライバ４０６と接続される。また、有機ＥＬ表示部４０７においては、ソース線と書き込みゲート線および点灯ゲート線の交差する部分に対応して有機ＥＬ画素セルがマトリクス状に配置されている。駆動制御部４０３は、書き込みゲートドライバ４０５の駆動を制御するとともに、入力信号動き検出部４０１および入力信号ピーク検出部４０２の検出結果に応じて、ソースドライバ４０４の出力ゲインと点灯ゲートドライバ４０６の駆動タイミングを制御する。ソースドライバ４０４は、駆動制御部４０３からの制御信号に応じて、ソース線に出力する画素データを変化させる。書き込みゲートドライバ４０５は、画素への書き込み走査信号を書き込みゲート線に出力する。点灯ゲートドライバ４０６は、点灯走査信号を点灯ゲート線に出力する。画素セルは、複数のスイッチング素子（ＴＦＴ）を備え、書き込み走査信号によりソース線の画素データを画素セルに保持し、点灯操作信号により画素データに応じた輝度で発光する。
【００３２】
以下、本発明の実施の形態４における動作について、図１０を参照して説明する。図１０において、（ｅ）はピーク輝度検出をしない場合の制御状態を示す。動画像が検出されることにより、所定期間内（例えば１フレーム）の発光期間と発光ゲインを変化させて動画視認性向上を図る。しかし、ピーク輝度情報が無いため、表示部として設定された最大輝度発光が常時可能なように制御される。よって、発光期間を短くする範囲が小さくなる。点線は、発光ゲインの最大値を示す。（ｆ）はピーク輝度検出をする場合の制御状態を示す。動画像が検出されることにより、所定期間内の発光期間と発光ゲインを変化させて動画視認性向上を図るのは同様である。但し、ピーク輝度情報により、必要な輝度発光が可能な実線に沿って制御される。よって、発光期間を（ｅ）よりも短くすることが可能になる。以上のように、本実施形態によれば、ピーク輝度を検出することにより、ピーク輝度が低い場合はさらにインパルス型駆動に近づけることが可能になり、動画視認性向上が図れる。また、静止画像の場合、ホールド型駆動に近づけることにより、ＥＬ素子の寿命低減抑制が図れる。動画像検出判断は、所定の動き量により判断するが、動き量の大きさに応じて発光期間および発光輝度を変化させても良い。
【産業上の利用可能性】
【００３３】
本発明の有機ＥＬ表示装置の駆動方法および有機ＥＬ表示装置は、入力される映像信号を有機ＥＬ素子により構成された表示部に表示する際に、動画視認性向上および寿命劣化抑制を可能とする表示装置を実現できるという格別な効果を有し、表示品位向上を目的とした表示装置等として有用である。
【図面の簡単な説明】
【００３４】
【図１】本発明の実施の形態１における有機ＥＬ表示装置の構成を示すブロック図
【図２】本発明の実施の形態１における駆動タイミング図
【図３】本発明の実施の形態２における有機ＥＬ表示装置の構成を示すブロック図
【図４】本発明の実施の形態２における駆動タイミング図
【図５】ソースドライバの内部構成の１例を示すブロック図
【図６】本発明の実施の形態３における有機ＥＬ表示装置の構成を示すブロック図
【図７】本発明の実施の形態３における面発光駆動タイミング図
【図８】本発明の実施の形態３における順次発光駆動タイミング図
【図９】本発明の実施の形態４における有機ＥＬ表示装置の構成を示すブロック図
【図１０】本発明の実施の形態４における動作のフローチャート
【図１１】従来の液晶表示装置の構成を示すブロック図
【図１２】従来の液晶表示装置の駆動タイミング図
【図１３】インパルス型駆動の動作説明図
【図１４】有機ＥＬ素子の発光と輝度劣化の関係を示す図
【符号の説明】
【００３５】
１０１    信号ゲイン変換部
１０２、２０１、３０２、４０１、７０２    入力信号動き検出部
１０３、２０２、３０３、４０３、７０３    駆動制御部
１０４、２０３、３０４、４０４、７０４    ソースドライバ
１０５、２０４、３０５、４０５    書き込みゲートドライバ
１０６、２０５、３０６、４０６    点灯ゲートドライバ
１０７、２０６、３０７、４０７    有機ＥＬ表示部
３０１    周波数変換部
４０２    入力信号ピーク検出部
７０１    ライン倍速変換部
７０５    ゲートドライバ
７０６    対向駆動部
７０７    液晶表示部
７０８    バックライト制御部
７０９    バックライト
【図１】
2005227543.tif 000003
【図２】
2005227543.tif 000004
【図３】
2005227543.tif 000005
【図４】
2005227543.tif 000006
【図５】
2005227543.tif 000007
【図６】
2005227543.tif 000008
【図７】
2005227543.tif 000009
【図８】
2005227543.tif 000010
【図９】
2005227543.tif 000011
【図１０】
2005227543.tif 000012
【図１１】
2005227543.tif 000013
【図１２】
2005227543.tif 000014
【図１３】
2005227543.tif 000015
【図１４】
2005227543.tif 000016